【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】
画像形成領域に複数ページの画像を形成可能な画像形成手段と、
前記画像形成領域への画像形成をそれぞれ１ページずつ行う第１の画像形成モードと、前記画像形成領域への画像形成をそれぞれ複数ページずつ行う第２の画像形成モードのいずれかを選択するモード選択手段と、
前記モード選択手段により選択された画像形成モードで画像を形成するよう前記画像形成手段を制御する制御手段とを備え、
前記モード選択手段は、１ページの画像形成の開始を所定の遅延時間分遅延させ、該遅延時間内に次のページの画像形成の準備が整った場合に、前記第２の画像形成モードを選択することを特徴とする画像形成装置。
【請求項２】
前記遅延時間を外部から設定可能に構成されていることを特徴とする請求項１記載の画像形成装置。
【請求項３】
前記モード選択手段は、印刷ジョブのファーストページの処理を開始する場合に、前記遅延時間を用いて前記第２の画像形成モードが可能であるかを判断することを特徴とする請求項１または２に記載の画像形成装置。
【請求項４】
前記モード選択手段は、ページ単位または印刷ジョブ単位で画像形成モードを選択することを特徴とする請求項１乃至３のいずれかに記載の画像形成装置。
【請求項５】
前記モード選択手段は、第Ｎページの画像データが用意され、かつ、第Ｎページ以外の画像データが用意されていない場合に、前記第Ｎページの画像データが用意されてから所定時間内に第Ｎ＋１ページの画像データを用意できた場合に第２の画像形成モードを選択し、前記制御手段は、前記画像形成領域への画像形成を、それぞれ第Ｎページと第Ｎ＋１ページの２ページずつ行うよう前記画像形成手段を制御することを特徴とする請求項１乃至４のいずれかに記載の画像形成装置。
【請求項６】
前記モード選択手段は、第Ｎページの画像データが用意され、かつ、第Ｎページ以外の画像データが用意されていない場合でも、後続する印刷データがなければ所定時間の経過を待たずに第１の画像形成モードを選択することを特徴とする請求項５に記載の画像形成装置。
【請求項７】
前記画像形成手段は、前記画像形成領域である中間転写体に複数の要素色の画像を重ね合わせたカラー画像を形成することを特徴とする請求項１乃至６のいずれかに記載の画像形成装置。
【請求項８】
指定に応じて、画像形成領域への画像形成をそれぞれ１ページずつ行う第１の画像形成モードと、前記画像形成領域への画像形成をそれぞれ複数ページずつ行う第２の画像形成モードのいずれかにより画像を形成する画像形成装置によって印刷を行わせる画像形成制御装置であって、
前記画像形成装置により印刷される印刷データが少なくとも２ページ分あり、かつ、その印刷データの量が所定サイズ以内であるか判定する判定手段と、
前記判定手段による判定の結果が真であれば前記第２の画像形成モードを指定して印刷データを前記画像形成装置に渡し、そうでなければ前記第１の画像形成モードを指定して印刷データを前記画像形成装置に渡すモード指定手段を備えることを特徴とする画像形成制御装置。
【請求項９】
中間転写体に画像を形成し、その画像を印刷媒体に転写して画像を形成する画像形成手段を有する画像形成装置の制御方法であって、
前記中間転写体への画像形成及び印刷媒体への転写をそれぞれ１ページずつ行う第１の画像形成モードと、前記中間転写体への画像形成及び印刷媒体への転写をそれぞれ複数ページずつ行う第２の画像形成モードのいずれかを選択するモード選択工程と、
前記モード選択工程により選択された画像形成モードで画像を形成するよう前記画像形成手段を制御する制御工程とを備え、
前記モード選択工程では、１ページの画像形成の開始を所定の遅延時間分遅延させ、該遅延時間内に次のページの画像形成の準備が整った場合に、前記第２の画像形成モードを選択することを特徴とする画像形成装置の制御方法。
【請求項１０】
前記遅延時間を外部から設定可能に構成されていることを特徴とする請求項９に記載の画像形成装置の制御方法。
【請求項１１】
前記モード選択工程は、印刷ジョブのファーストページの処理を開始する場合に、前記遅延時間を用いて前記第２の画像形成モードが可能であるかを判断することを特徴とする請求項９または１０に記載の画像形成装置の制御方法。
【請求項１２】
前記モード選択工程は、ページ単位または印刷ジョブ単位で画像形成モードを選択することを特徴とする請求項９乃至１１に記載の画像形成装置の制御方法。
【請求項１３】
前記モード選択工程は、第Ｎページの画像データが用意され、かつ、第Ｎページ以外の画像データが用意されていない場合に、前記第Ｎページの画像データが用意されてから所定時間内に第Ｎ＋１ページの画像データを用意できた場合に第２の画像形成モードを選択し、前記制御工程は、前記中間転写体への画像形成及び印刷媒体への転写を、それぞれ第Ｎページと第Ｎ＋１ページの２ページずつ行うよう前記画像形成手段を制御することを特徴とする請求項９乃至１２のいずれかに記載の画像形成装置の制御方法。
【請求項１４】
前記モード選択工程は、第Ｎページの画像データが用意され、かつ、第Ｎページ以外の画像データが用意されていない場合でも、後続する印刷データがなければ所定時間の経過を待たずに第１の画像形成モードを選択することを特徴とする請求項１３に記載の画像形成装置の制御方法。
【請求項１５】
指定に応じて、中間転写体への画像形成及び印刷媒体への転写をそれぞれ１ページずつ行う第１の画像形成モードと、前記中間転写体への画像形成及び印刷媒体への転写をそれぞれ複数ページずつ行う第２の画像形成モードのいずれかにより画像を形成する画像形成装置によって印刷を行わせる画像形成装置の制御方法であって、
前記画像形成装置により印刷される印刷データが少なくとも２ページ分あり、かつ、その印刷データの量が所定サイズ以内であるか判定する判定工程と、
前記判定工程による判定の結果が真であれば前記第２の画像形成モードを指定して印刷データを前記画像形成装置に渡し、そうでなければ前記第１の画像形成モードを指定して印刷データを前記画像形成装置に渡すモード指定工程を備えることを特徴とする画像形成装置の制御方法。
【手続補正２】
【補正対象書類名】明細書
【補正対象項目名】０００７
【補正方法】変更
【補正の内容】
【０００７】
【課題を解決するための手段】
上記目的を達成するために本発明は次のような構成からなる。すなわち、
画像形成領域に複数ページの画像を形成可能な画像形成手段と、
前記画像形成領域への画像形成をそれぞれ１ページずつ行う第１の画像形成モードと、前記画像形成領域への画像形成をそれぞれ複数ページずつ行う第２の画像形成モードのいずれかを選択するモード選択手段と、
前記モード選択手段により選択された画像形成モードで画像を形成するよう前記画像形成手段を制御する制御手段とを備え、
前記モード選択手段は、１ページの画像形成の開始を所定の遅延時間分遅延させ、該遅延時間内に次のページの画像形成の準備が整った場合に、前記第２の画像形成モードを選択する。
【手続補正３】
【補正対象書類名】明細書
【補正対象項目名】０００８
【補正方法】変更
【補正の内容】
【０００８】
あるいは、指定に応じて、画像形成領域への画像形成をそれぞれ１ページずつ行う第１の画像形成モードと、前記画像形成領域への画像形成をそれぞれ複数ページずつ行う第２の画像形成モードのいずれかにより画像を形成する画像形成装置によって印刷を行わせる画像形成制御装置であって、
前記画像形成装置により印刷される印刷データが少なくとも２ページ分あり、かつ、その印刷データの量が所定サイズ以内であるか判定する判定手段と、
前記判定手段による判定の結果が真であれば前記第２の画像形成モードを指定して印刷データを前記画像形成装置に渡し、そうでなければ前記第１の画像形成モードを指定して印刷データを前記画像形成装置に渡すモード指定手段を備える。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】